(57)【要約】      （修正有）【課題】痩身効果を有し、外出時にも着用することが可能な被服を提供する。【解決手段】生地１は、裏地を構成する第１層である綿製の起毛材２、表地を構成する第２層である合成繊維のポリウレタン材３、及び接着材４を主要構成として備える。起毛材２は、毛先が起立せしめられて柔軟性を有する。ポリウレタン材３は、撥水加工及び紫外線吸収加工が施されている一方で、良好な吸水性が保持されている。接着材４は、これら起毛材２及びポリエステル材３をそれぞれの面の全体において互いを接着して結合させるものであり、いわゆるボンディング加工がなされた生地１として構成される。このような生地１を用いて、外出の際に着用可能な被服を構成した。【選択図】図１
0003193600.tif 000002
【実用新案登録請求の範囲】
【請求項１】
保温性を保持する生地によって形成された被服において、
前記生地は、
裏地を構成する第１層と、
表地を構成する第２層と、
前記第１層と前記第２層との間に設けられて該第１層と該第２層とを結合する結合層と、を備え、
前記生地によって上衣がジャケット、下衣がスカートとして構成されたことを特徴とする被服。
【請求項２】
保温性を保持する生地によって形成された被服において、
前記生地は、
裏地を構成する第１層と、
表地を構成する第２層と、
前記第１層と前記第２層との間に設けられて該第１層と該第２層とを結合する結合層と、を備え、
前記生地によって上衣がジャケット、下衣がパンツとして構成されたことを特徴とする被服。
【請求項３】
保温性を保持する生地によって形成された被服において、
前記生地は、
裏地を構成する第１層と、
表地を構成する第２層と、
前記第１層と前記第２層との間に設けられて該第１層と該第２層とを結合する結合層と、を備え、
前記生地によって上衣と下衣のスカートとが一体に形成されるワンピースとして構成されたことを特徴とする被服。
【請求項４】
前記第１層が、起毛材で形成され、
前記第２層が、ポリウレタン材で形成された、
ことを特徴とする請求項１〜３のいずれか１項に記載の被服。
【考案の詳細な説明】
【技術分野】
【０００１】
本考案は、被服、特に、保温性を保持する生地によって形成された被服に関する。
【背景技術】
【０００２】
生活環境及び生活習慣の変化に伴い、近年、生活習慣病に対するリスクが懸念されている。特に、和食から欧米食へと変化したこと等に起因する肥満によって、メタボリックシンドロームとも称される代謝症候群と判断される者が増加しており、健康増進の観点からは、その増加は抑制されることが望ましい。
【０００３】
一方、美容向上の観点から、特に若い女性の間においては痩身に対する要求が存在している。このような要求に応えるものとしては、例えば、着用することによって発汗が促されて痩身効果が発揮されるサウナスーツが挙げられ、一般に広く普及している。
【０００４】
このような、着用により発汗が促される被服には、一般的に、保温性が高く代謝が促進される生地が用いられることが望ましく、例えば特許文献１では、表地と裏地の間に中間層となる生地を介在させることによって保温性が高められた生地を用いた被服が提案されている。
【先行技術文献】
【特許文献】
【０００５】
【特許文献１】特開平９−１４３８０５公報
【考案の概要】
【考案が解決しようとする課題】
【０００６】
ところで、発汗が促されるサウナスーツ等の被服は、主に屋内や室内といった、他者の介在が制限される個人的な空間で用いられることが多いことから、その外観はデザイン性や装飾性に乏しいものであって、外出の際の着用には不適であることが多い。
【０００７】
しかし、上記のような健康増進や美容向上のために痩身効果を得る観点からは、常時、保温性が高められて代謝が促進されることが望ましいことから、外出の際にも着用することが可能であって、通常の生活環境の中で着用できる、痩身効果のある被服が要望されるところである。
【０００８】
本考案は、上記課題に鑑みてなされたものであり、その目的は、痩身効果を有し、外出時にも着用することが可能な被服を提供することにある。
【課題を解決するための手段】
【０００９】
上記課題を解決するための請求項１に記載の考案による被服は、保温性を保持する生地によって形成された被服において、前記生地は、裏地を構成する第１層と、表地を構成する第２層と、前記第１層と前記第２層との間に設けられて該第１層と該第２層とを結合する結合層と、を備え、前記生地によって上衣がジャケット、下衣がスカートとして構成されたことを特徴とする。
【００１０】
この構成によれば、被服を構成する生地が、裏地を構成する第１層と表地を構成する第２層とが結合層によって結合されて形成されることから、第１層及び第２層によって、温度が保持される。従って、このような生地を用いて構成された被服では、着用者の体温が保持されて着用者の発汗が促されることから、着用者の代謝が促進されて、痩身効果を奏することが期待できる。
【００１１】
本構成の被服は、かかる生地を用いて、上衣がジャケット、下衣がスカートとして構成されることから、他者の介在が制限される個人的な空間のみならず、外出する際にも着用することが可能となる。
【００１２】
上記課題を解決するための請求項２に記載の考案による被服は、保温性を保持する生地によって形成された被服において、前記生地は、裏地を構成する第１層と、表地を構成する第２層と、前記第１層と前記第２層との間に設けられて該第１層と該第２層とを結合する結合層と、を備え、前記生地によって上衣がジャケット、下衣がパンツとして構成されたことを特徴とする。
【００１３】
この構成によれば、被服を構成する生地が、裏地を構成する第１層と表地を構成する第２層とが結合層によって結合されて形成されることから、第１層及び第２層によって、温度が保持される。従って、このような生地を用いて構成された被服では、着用者の体温が保持されて着用者の発汗が促されることから、着用者の代謝が促進されて、痩身効果を奏することが期待できる。
【００１４】
本構成の被服は、かかる生地を用いて、上衣がジャケット、下衣がパンツとして構成されることから、他者の介在が制限される個人的な空間のみならず、外出する際にも着用することが可能となる。
【００１５】
上記課題を解決するための請求項３に記載の考案による被服は、保温性を保持する生地によって形成された被服において、前記生地は、裏地を構成する第１層と、表地を構成する第２層と、前記第１層と前記第２層との間に設けられて該第１層と該第２層とを結合する結合層と、を備え、前記生地によって上衣と下衣のスカートとが一体に形成されるワンピースとして構成されたことを特徴とする。
【００１６】
この構成によれば、被服を構成する生地が、裏地を構成する第１層と表地を構成する第２層とが結合層によって結合されて形成されることから、第１層及び第２層によって、温度が保持される。従って、このような生地を用いて構成された被服では、着用者の体温が保持されて着用者の発汗が促されることから、着用者の代謝が促進されて、痩身効果を奏することが期待できる。
【００１７】
本構成の被服は、かかる生地を用いて、上衣と下衣のスカートが一体に形成されるワンピースとして構成されることから、他者の介在が制限される個人的な空間のみならず、外出する際にも着用することが可能となる。
【００１８】
請求項４に記載の考案による被服は、請求項１〜３のいずれか１項に記載の被服において、前記第１層が、起毛材で形成され、前記第２層が、ポリウレタン材で形成された、ことを特徴とする。
【００１９】
この構成によれば、裏地となる第１層が起毛材で形成されていることから、着用者の体温が高められるとともに、高められた体温が、ポリウレタン材で形成された表地となる第１層で保持される。従って、効率的に、着用者の代謝が促進されて、痩身効果を奏することが期待できる。
【考案の効果】
【００２０】
この考案の被服は、痩身効果を有しかつ外出時にも着用することが可能となることから、発汗が常時促進され、良好な痩身効果を奏する。
【図面の簡単な説明】
【００２１】
【図１】本発明の実施の形態に係る被服を構成する生地の構造の概略を説明する図である。
【図２】同じく、本実施の形態に係る被服の一例の概略を示す図である。
【図３】同じく、本実施の形態に係る被服の一例の概略を示す図である。
【図４】同じく、本実施の形態に係る被服の一例の概略を示す図である。
【考案を実施するための形態】
【００２２】
次に、図１〜図４を参照して本考案の実施の形態について説明する。
図１は、本実施の形態に係る被服を構成する生地の構造の概略を説明する図である。図示のように、生地１は、裏地を構成する第１層である綿製の起毛材２、表地を構成する第２層である合成繊維のポリウレタン材３、及び接着材４を主要構成として備える。
【００２３】
起毛材２は、本実施の形態では、毛先が起立せしめられて柔軟性を有する。ポリウレタン材３は、本実施の形態では、撥水加工及び紫外線吸収加工が施されている一方で、良好な吸水性が保持されている。
【００２４】
接着材４は、これら起毛材２及びポリエステル材３をそれぞれの面の全体において互いを接着して結合させるものであり、この接着材４によって起毛材２及びポリエステル材３が結合されることによって、いわゆるボンディング加工がなされた生地１として構成される。
【００２５】
このようなボンディング加工によって形成された生地１は、生地１に与えられた熱の放熱を抑制して保温性を保持することができる。従って、この生地１が用いられて形成された被服は、着用者の体温を吸熱して放熱を抑制することから、着用者の体温が上昇し、発汗が促され、着用者の体内の代謝が促進される。
【００２６】
ここで、体温と代謝との関係については、体温が１℃ほど上昇すれば、代謝がおよそ１３〜１５％程度、上昇することが知られており、代謝が１３〜１５％上昇すれば、１ヶ月では一般的に１〜２ｋｇ程度、体重が減少することも知られている。
【００２７】
一方、体温が１℃ほど上昇すれば、免疫力が５〜６倍ほど向上し、かつ体温が１℃ほど低下すれば、免疫力は３０％程度、低下するとされている。免疫力が低下すると、癌や慢性疲労症候群、腎臓病等の発症の確率が上昇すると目されている。
【００２８】
このように、体温を１℃程度上昇させて、代謝を上昇させたり、免疫力を向上させたりすることは、健康の増進の観点からは、極めて有効である。
【００２９】
本実施の形態の生地１は、このような点に着目し、この生地１によって構成された被服を着用者が着用した場合に、その体温を通常の体温に対して１℃程度上昇させるように構成されている。
【００３０】
これにより、着用者の体内の代謝が促進され、痩身効果がもたらされるとともに、癌や慢性疲労症候群、腎臓病等の発症の確率を低下させて、健康の増進が図られる。
【００３１】
次に、本実施の形態に係る生地１を用いて構成された被服について、図２〜図４に基づいて説明する。
【００３２】
図２で示すように、上衣としてジャケット１１、下衣としてスカート１２を備える被服１０は、生地１を用いて構成されている。ジャケット１１は、本実施の形態では、開閉可能な金属製の留め具である線状のファスナ１１ａによって、全開及び全閉が可能ないわゆるジップアップ型である。
【００３３】
このジャケット１１は、本実施の形態では、襟元がいわゆる丸首の形状で構成されており、一般的に、女性の着用する被服に多用されるデザインであって、外出の際の着用に適するものである。
【００３４】
一方、スカート１２は、本実施の形態では、着用者の体型に比較的密に接触するいわゆるタイトスカート型である。
【００３５】
このように、被服１０は、その外観がデザイン性に富むことから、他者の介在が制限される個人的な空間のみならず、外出の際にも着用することが可能であることから、長時間に亘って着用者の保温性が高められて代謝が促進される。従って、痩身効果の向上が期待される。
【００３６】
図３で示すように、上衣としてジャケット２１、下衣としてスカート２２を備える被服２０は、生地１を用いて構成されている。ジャケット２１は、本実施の形態では、開閉可能な金属製の留め具である線状のファスナ２１ａによって、全開及び全閉が可能ないわゆるジップアップ型である。
【００３７】
このジャケット２１は、本実施の形態では、襟元に比較的大きなラペル２１ｂ、２１ｂがあしらわれたいわゆる合わせ襟のライダースジャケット型であり、一般的には、外出の際に着用する被服に用いられるデザインである。
【００３８】
一方、パンツ２２は、本実施の形態では、着用者の体型に比較的密に接触するいわゆるスリムパンツ型である。
【００３９】
このように、被服２０は、その外観がデザイン性に富むことから、他者の介在が制限される個人的な空間のみならず、外出の際にも着用することが可能であることから、長時間に亘って着用者の保温性が高められて代謝が促進される。従って、痩身効果の向上が期待される。
【００４０】
図４で示すように、上衣と下衣のスカートとが一体に形成されるワンピース型の被服３０は、生地１を用いて構成されている。この被服３０は、本実施の形態では、開閉可能な金属製の留め具である線状のファスナ３１によって、襟元の半開が可能となっている。
【００４１】
一般的に、ワンピース型の被服は、女性の着用する被服に多用されるデザインであって、外出の際の着用に適するものである。
【００４２】
このように、被服３０は、その外観がデザイン性に富むことから、他者の介在が制限される個人的な空間のみならず、外出の際にも着用することが可能であることから、長時間に亘って着用者の保温性が高められて代謝が促進される。従って、痩身効果の向上が期待される。
【００４３】
なお、本考案は上記実施の形態に限定されることはなく、考案の趣旨を逸脱しない範囲で種々変更可能である。上記実施の形態では、ポリエステル材３が、撥水加工及び紫外線吸収加工が施されたものである場合を説明したが、これらの加工に限られず、例えば抗菌や防臭等の加工が施されたポリエステル材３を用いてもよい。
【００４４】
上記実施の形態では、第１層として起毛材２、第２層としてポリエステル材３が用いられた場合を説明したが、用いられる素材はこれらに限定されず、種々変更することができる。
【００４５】
例えば、第１層及び第２層ともに綿素材を用いてもよいし、第１層及び第２層ともに合成繊維の素材を用いてもよい。
【００４６】
上記実施の形態では、被服の上衣がジャケット１１及び２１である場合を説明したが、被服の型はこれらに限られず、種々の形態の被服を用いることができる。例えば、上衣には、頭部を被覆するフードが付いたいわゆるパーカージャケットを採用することもできる。
【符号の説明】
【００４７】
１    生地
２    起毛材（第１層）
３    ポリエステル材（第２層）
１０〜３０    被服
１１、２１    ジャケット
１２    スカート
２２    パンツ
【図１】
0003193600.tif 000003
【図２】
0003193600.tif 000004
【図３】
0003193600.tif 000005
【図４】
0003193600.tif 000006